(57)【要約】【課題】多くの魚群情報端末装置が取得した魚群情報を各魚群情報端末装置が共有することで、詳細な魚群情報が取得でき、且つ特定時刻の魚群の位置等を容易に推測することができる魚群情報共有システム等を提供すること。【解決手段】魚群探知手段１０６と、位置情報取得手段１０５と、少なくとも、魚群関連情報を格納するための端末側情報格納手段１１５と、他の魚群関連情報の閲覧を要求する魚群閲覧情報を生成する魚群閲覧情報生成手段１１７と、を有する魚群情報端末装置１００と、前記魚群関連情報として格納する管理側情報格納手段２０１と、前記管理側情報格納手段内の魚群関連情報から閲覧情報を生成する閲覧情報生成手段２１７と、を有する魚群情報管理装置２００と、を有する魚群情報共有システム１０。【選択図】  図１
2004271338.tif 000002
【特許請求の範囲】
【請求項１】
魚群情報を探知する魚群探知手段と、
位置情報を取得する位置情報取得手段と、
少なくとも、これら魚群情報及び位置情報等を有する魚群関連情報を格納するための端末側情報格納手段と、
前記端末側情報格納手段内の前記魚群関連情報から送信用魚群情報を生成する送信用魚群情報生成手段と、
他の魚群関連情報の閲覧を要求する魚群閲覧情報を生成する魚群閲覧情報生成手段と、
情報の送受信を行う端末側通信手段と、
情報の表示を行う表示装置と、を有する魚群情報端末装置と、
前記送信用魚群情報を前記魚群関連情報として格納する管理側情報格納手段と、
前記魚群閲覧情報に対応して前記管理側情報格納手段内の魚群関連情報から閲覧情報を生成する閲覧情報生成手段と、
情報の送受信を行う管理側通信手段と、を有する魚群情報管理装置と、を有することを特徴とする魚群情報共有システム。
【請求項２】
前記端末側通信手段と前記管理側通信手段とは、インターネット網を介して接続されていることを特徴とする請求項１に記載の魚群情報共有システム。
【請求項３】
前記魚群情報管理手段は、少なくとも、前記管理側情報格納手段内の前記魚群関連情報に基づいて魚群動向を予測する魚群動向予測手段を有していることを特徴とする請求項１又は請求項２に記載の魚群情報共有システム。
【請求項４】
前記魚群情報管理手段は、気象等情報を取得するための気象等情報取得手段を有し、
前記魚群関連情報が前記気象等情報を含む気象等魚群関連情報と成っており、前記魚群動向予測手段が前記気象等情報と複数の前記気象等魚群関連情報とを比較し、複数の前記気象等魚群関連情報の重み付けを行うことで、前記魚群動向を予測する構成となっていることを特徴とする請求項３に記載の魚群情報共有システム。
【請求項５】
魚群情報を探知する魚群探知手段と、
位置情報を取得する位置情報取得手段と、
少なくとも、これら魚群情報及び位置情報等を有する魚群関連情報を格納するための端末側情報格納手段と、
前記端末側情報格納手段内の前記魚群関連情報から送信用魚群情報を生成する送信用魚群情報生成手段と、
魚群情報管理装置が有する他の魚群関連情報の閲覧を要求する魚群閲覧情報を生成する魚群閲覧情報生成手段と、
魚群情報管理装置との情報の送受信を行う端末側通信手段と、
情報の表示を行う表示装置と、を有することを特徴とする魚群情報端末装置。
【請求項６】
魚群情報端末装置の魚群探知手段が魚群情報を探知する魚群探知工程と、
前記魚群情報端末装置の位置情報取得手段が位置情報を取得する位置情報取得工程と、
前記魚群情報端末装置の端末側情報格納手段が、少なくとも、前記魚群情報及び前記位置情報等を有する魚群関連情報を格納するための端末側情報格納工程と、
前記魚群情報端末装置の送信用魚群情報生成手段が、前記端末側情報格納手段内の前記魚群関連情報から送信用魚群情報を生成する送信用魚群情報生成工程と、
前記魚群情報端末装置の端末側通信手段が、前記送信用魚群情報を送信する送信用魚群情報送信工程と、
魚群情報管理装置の管理側通信手段が、前記送信用魚群情報を受信する送信用魚群情報受信工程と、
前記魚群情報管理装置の管理側情報格納手段が、前記送信用魚群情報を前記魚群関連情報として格納する管理側情報格納工程と、
前記魚群情報端末装置の魚群閲覧情報生成手段が、他の魚群関連情報の閲覧を要求する魚群閲覧情報を生成する魚群閲覧情報生成工程と、
前記魚群情報端末装置の端末側通信手段が、前記魚群閲覧情報を送信する魚群閲覧情報送信工程と、
前記魚群情報管理装置の管理側通信手段が、前記魚群閲覧情報を受信する魚群閲覧情報受信工程と、
前記魚群情報管理装置の閲覧情報生成手段が、前記魚群閲覧情報に対応して前記管理側情報格納手段内の魚群関連情報から閲覧情報を生成する閲覧情報生成工程と、
前記魚群情報管理装置の管理側通信手段が、前記閲覧情報を送信する閲覧情報送信工程と、
前記魚群情報端末装置の端末側通信手段が、前記閲覧情報を受信する閲覧情報受信工程と、
前記魚群情報端末装置の表示装置が、前記閲覧情報を表示する閲覧情報表示工程と、を有することを特徴とする魚群情報共有方法。
【請求項７】
魚群探知手段が魚群情報を探知する魚群探知工程と、
位置情報取得手段が、位置情報を取得する位置情報取得工程と、
端末側情報格納手段が、少なくとも、前記魚群情報及び前記位置情報等を有する魚群関連情報を格納するための端末側情報格納工程と、
送信用魚群情報生成手段が、前記端末側情報格納手段内の前記魚群関連情報から送信用魚群情報を生成する送信用魚群情報生成工程と、
魚群閲覧情報生成手段が、魚群情報管理装置が有する他の魚群関連情報の閲覧を要求する魚群閲覧情報を生成する魚群閲覧情報生成工程と、
端末側通信手段が、魚群情報管理装置との情報の送受信を行う端末側通信工程と、
表示装置が、情報の表示を行う表示工程と、を有することを特徴とする魚群情報端末装置の制御方法
【請求項８】
コンピュータに、魚群情報端末装置の魚群探知手段が魚群情報を探知する魚群探知工程と、
前記魚群情報端末装置の位置情報取得手段が位置情報を取得する位置情報取得工程と、
前記魚群情報端末装置の端末側情報格納手段が、少なくとも、前記魚群情報及び前記位置情報等を有する魚群関連情報を格納するための端末側情報格納工程と、
前記魚群情報端末装置の送信用魚群情報生成手段が、前記端末側情報格納手段内の前記魚群関連情報から送信用魚群情報を生成する送信用魚群情報生成工程と、
前記魚群情報端末装置の端末側通信手段が、前記送信用魚群情報を送信する送信用魚群情報送信工程と、
魚群情報管理装置の管理側通信手段が、前記送信用魚群情報を受信する送信用魚群情報受信工程と、
前記魚群情報管理装置の管理側情報格納手段が、前記送信用魚群情報を前記魚群関連情報として格納する管理側情報格納工程と、
前記魚群情報端末装置の魚群閲覧情報生成手段が、他の魚群関連情報の閲覧を要求する魚群閲覧情報を生成する魚群閲覧情報生成工程と、
前記魚群情報端末装置の端末側通信手段が、前記魚群閲覧情報を送信する魚群閲覧情報送信工程と、
前記魚群情報管理装置の管理側通信手段が、前記魚群閲覧情報を受信する魚群閲覧情報受信工程と、
前記魚群情報管理装置の閲覧情報生成手段が、前記魚群閲覧情報に対応して前記管理側情報格納手段内の魚群関連情報から閲覧情報を生成する閲覧情報生成工程と、
前記魚群情報管理装置の管理側通信手段が、前記閲覧情報を送信する閲覧情報送信工程と、
前記魚群情報端末装置の端末側通信手段が、前記閲覧情報を受信する閲覧情報受信工程と、
前記魚群情報端末装置の表示装置が、前記閲覧情報を表示する閲覧情報表示工程と、を実行させるための魚群情報共有プログラム。
【請求項９】
コンピュータに、魚群探知手段が魚群情報を探知する魚群探知工程と、
位置情報取得手段が、位置情報を取得する位置情報取得工程と、
端末側情報格納手段が、少なくとも、前記魚群情報及び前記位置情報等を有する魚群関連情報を格納するための端末側情報格納工程と、
送信用魚群情報生成手段が、前記端末側情報格納手段内の前記魚群関連情報から送信用魚群情報を生成する送信用魚群情報生成工程と、
魚群閲覧情報生成手段が、魚群情報管理装置が有する他の魚群関連情報の閲覧を要求する魚群閲覧情報を生成する魚群閲覧情報生成工程と、
端末側通信手段が、魚群情報管理装置との情報の送受信を行う端末側通信工程と、
表示装置が、情報の表示を行う表示工程と、を実行させるための魚群情報端末装置の制御プログラム。
【請求項１０】
コンピュータに、魚群情報端末装置の魚群探知手段が魚群情報を探知する魚群探知工程と、
前記魚群情報端末装置の位置情報取得手段が位置情報を取得する位置情報取得工程と、
前記魚群情報端末装置の端末側情報格納手段が、少なくとも、前記魚群情報及び前記位置情報等を有する魚群関連情報を格納するための端末側情報格納工程と、
前記魚群情報端末装置の送信用魚群情報生成手段が、前記端末側情報格納手段内の前記魚群関連情報から送信用魚群情報を生成する送信用魚群情報生成工程と、
前記魚群情報端末装置の端末側通信手段が、前記送信用魚群情報を送信する送信用魚群情報送信工程と、
魚群情報管理装置の管理側通信手段が、前記送信用魚群情報を受信する送信用魚群情報受信工程と、
前記魚群情報管理装置の管理側情報格納手段が、前記送信用魚群情報を前記魚群関連情報として格納する管理側情報格納工程と、
前記魚群情報端末装置の魚群閲覧情報生成手段が、他の魚群関連情報の閲覧を要求する魚群閲覧情報を生成する魚群閲覧情報生成工程と、
前記魚群情報端末装置の端末側通信手段が、前記魚群閲覧情報を送信する魚群閲覧情報送信工程と、
前記魚群情報管理装置の管理側通信手段が、前記魚群閲覧情報を受信する魚群閲覧情報受信工程と、
前記魚群情報管理装置の閲覧情報生成手段が、前記魚群閲覧情報に対応して前記管理側情報格納手段内の魚群関連情報から閲覧情報を生成する閲覧情報生成工程と、
前記魚群情報管理装置の管理側通信手段が、前記閲覧情報を送信する閲覧情報送信工程と、
前記魚群情報端末装置の端末側通信手段が、前記閲覧情報を受信する閲覧情報受信工程と、
前記魚群情報端末装置の表示装置が、前記閲覧情報を表示する閲覧情報表示工程と、を実行させるための魚群情報共有プログラムを記録したコンピュータ読み取り可能な記録媒体。
【請求項１１】
コンピュータに、魚群探知手段が魚群情報を探知する魚群探知工程と、
位置情報取得手段が、位置情報を取得する位置情報取得工程と、
端末側情報格納手段が、少なくとも、前記魚群情報及び前記位置情報等を有する魚群関連情報を格納するための端末側情報格納工程と、
送信用魚群情報生成手段が、前記端末側情報格納手段内の前記魚群関連情報から送信用魚群情報を生成する送信用魚群情報生成工程と、
魚群閲覧情報生成手段が、魚群情報管理装置が有する他の魚群関連情報の閲覧を要求する魚群閲覧情報を生成する魚群閲覧情報生成工程と、
端末側通信手段が、魚群情報管理装置との情報の送受信を行う端末側通信工程と、
表示装置が、情報の表示を行う表示工程と、を実行させるための魚群情報端末装置の制御プログラムを記録したコンピュータ読み取り可能な記録媒体。
【発明の詳細な説明】
【０００１】
【発明の属する技術分野】
本発明は、各魚群情報端末装置が取得した魚群情報を共有する魚群情報共有システム、魚群情報端末装置、魚群情報共有方法、魚群情報端末装置の制御方法、魚群情報共有プログラム、魚群情報端末装置の制御プログラム、魚群情報共有プログラムを記録したコンピュータ読み取り可能な記録媒体、魚群情報端末装置の制御プログラムを記録したコンピュータ読み取り可能な記録媒体に関するものである。
【０００２】
【従来の技術】
従来より、漁場では、多くの漁船が各々魚群探知機を搭載し、魚群を探索しつつ操業を行っている（例えば、特許文献１参照）。
そして、各漁船はそれぞれ別々に魚群を探知し、他の漁船の魚群情報は船舶通信等による直接対話等で得ていた。
【０００３】
【特許文献１】
特開平５−２２３９３４号
【０００４】
【発明が解決しようとする課題】
しかし、漁船同士が船舶通信で魚群情報を交換する場合、簡単な情報は交換できるが詳細な魚群情報は交換できないという問題があった。
また、各漁船が有する魚群情報の時刻は、それぞれ異なるため、特定時刻の魚群の位置等を推測することは困難であるという問題があった。
【０００５】
本発明は、以上の点に鑑み、多くの魚群情報端末装置が取得した魚群情報を各魚群情報端末装置が共有することで、詳細な魚群情報が取得でき、且つ特定時刻の魚群の位置等を容易に推測することができる魚群情報共有システム、魚群情報端末装置、魚群情報共有方法、魚群情報端末装置の制御方法、魚群情報共有プログラム、魚群情報端末装置の制御プログラム、魚群情報共有プログラムを記録したコンピュータ読み取り可能な記録媒体、魚群情報端末装置の制御プログラムを記録したコンピュータ読み取り可能な記録媒体を提供することを目的とする。
【０００６】
【課題を解決するための手段】
前記目的は、本発明によれば、魚群情報を探知する魚群探知手段と、位置情報を取得する位置情報取得手段と、少なくとも、これら魚群情報及び位置情報等を有する魚群関連情報を格納するための端末側情報格納手段と、前記端末側情報格納手段内の前記魚群関連情報から送信用魚群情報を生成する送信用魚群情報生成手段と、他の魚群関連情報の閲覧を要求する魚群閲覧情報を生成する魚群閲覧情報生成手段と、情報の送受信を行う端末側通信手段と、情報の表示を行う表示装置と、を有する魚群情報端末装置と、前記送信用魚群情報を前記魚群関連情報として格納する管理側情報格納手段と、前記魚群閲覧情報に対応して前記管理側情報格納手段内の魚群関連情報から閲覧情報を生成する閲覧情報生成手段と、情報の送受信を行う管理側通信手段と、を有する魚群情報管理装置と、を有することを特徴とする魚群情報共有システムにより達成される。
【０００７】
前記発明によれば、前記魚群情報端末装置は、前記魚群探知手段、前記位置情報取得手段及び前記端末側情報格納手段とを有しているので、自己が魚群を発見したときは、その詳細な魚群情報を位置情報と共に前記魚群関連情報として前記端末側情報格納手段に格納することができる。
また、前記魚群情報端末装置は、前記送信用魚群情報生成手段と前記端末側通信手段とを有し、前記魚群情報管理装置は、前記管理側通信手段と前記管理側情報格納手段とを有する。
このため、前記端末側情報格納手段の前記魚群関連情報は、前記送信用魚群情報生成手段で生成された送信用魚群情報として例えばパケット毎に前記魚群関連情報が前記端末側通信手段で送信される。
そして、前記魚群関連情報は、前記管理側通信手段で受信され、前記管理側情報格納手段内に格納される。
【０００８】
また、前記魚群端末装置は、魚群閲覧情報生成手段を有し、前記魚群情報管理装置は前記閲覧情報生成手段を有している。
このため、例えば、一の魚群関連情報を発信した一の魚群情報端末装置と異なる他の魚群情報端末装置は、前記魚群閲覧情報を発することで前記一の魚群関連情報を取得することできる。
すなわち、前記他の魚群情報端末装置が前記魚群閲覧情報を前記魚群情報管理装置へ発信すると、この魚群閲覧情報に対応する魚群関連情報（例えば前記一の魚群関連情報）が前記管理側情報格納手段から生成される。
そして、この生成された前記一の魚群関連情報が前記他の魚群情報端末装置に送信され、前記他の魚群情報端末装置は、その表示装置で、その一の魚群関連情報を確認することができる。
【０００９】
以上のように、各前記魚群情報端末装置が取得した前記魚群関連情報を前記魚群情報管理装置の前記魚群情報格納手段に格納し、各前記魚群情報端末装置の前記魚群閲覧情報に対応して、前記閲覧情報を送信することができる。
このため、魚群関連情報を複数の魚群情報端末装置が共有することができるので、各魚群情報端末装置の操作者等は、これら共有の魚群関連情報を分析することで、特定時刻の魚群の位置等を精度良く予測することができる。
すなわち、多くの魚群情報端末装置が取得した魚群情報を各魚群情報端末装置が共有することで、詳細な魚群情報が取得でき、且つ特定時刻の魚群の位置等を容易に推測することができる。
【００１０】
好ましくは、前記端末側通信手段と前記管理側通信手段とは、インターネット網を介して接続されていることを特徴とする魚群情報共有システムである。
前記発明によれば、前記端末側通信手段と前記管理側通信手段とは、インターネット網を介して接続されているので、特別なシステムを用いることなく容易に情報の授受を行うことができる。
【００１１】
好ましくは、前記魚群情報管理手段は、少なくとも、前記管理側情報格納手段内の前記魚群関連情報に基づいて魚群動向を予測する魚群動向予測手段を有していることを特徴とする魚群情報共有システムである。
前記発明によれば、前記魚群情報管理手段は、前記魚群動向予測手段を有しているので、前記魚群情報端末装置からの魚群動向予測要求に対して魚群動向を予測し、魚群動向予測情報を提供できる。
したがって、特定時刻の特定魚群の位置等を予測する各魚群情報端末装置の操作者等に対し、より効果的な情報を提供することができる。
【００１２】
好ましくは、前記魚群情報管理手段は、気象等情報を取得するための気象等情報取得手段を有し、前記魚群関連情報が前記気象等情報を含む気象等魚群関連情報と成っており、前記魚群動向予測手段が前記気象等情報と複数の前記気象等魚群関連情報とを比較し、複数の前記気象等魚群関連情報の重み付けを行うことで、前記魚群動向を予測する構成となっていることを特徴とする魚群情報共有システムである。
【００１３】
前記発明によれば、前記魚群動向予測手段が前記気象等情報と複数の前記気象等魚群関連情報とを比較し、複数の前記気象等魚群関連情報の重み付けを行うことで、前記魚群動向を予測する構成となっている。
このため、より精度の高い前記魚群動向予測情報を提供することができ、特定時刻の特定魚群の位置等を予測する各魚群情報端末装置の操作者等に対し、更により効果的な情報を提供することができる。
【００１４】
前記目的は、本発明によれば、魚群情報を探知する魚群探知手段と、位置情報を取得する位置情報取得手段と、少なくとも、これら魚群情報及び位置情報等を有する魚群関連情報を格納するための端末側情報格納手段と、前記端末側情報格納手段内の前記魚群関連情報から送信用魚群情報を生成する送信用魚群情報生成手段と、魚群情報管理装置が有する他の魚群関連情報の閲覧を要求する魚群閲覧情報を生成する魚群閲覧情報生成手段と、魚群情報管理装置との情報の送受信を行う端末側通信手段と、情報の表示を行う表示装置と、を有することを特徴とする魚群情報端末装置により達成される。
【００１５】
前記発明によれば、前記魚群情報端末装置は、前記魚群探知手段、前記位置情報取得手段及び前記端末側情報格納手段とを有しているので、自己が魚群を発見したときは、その詳細な魚群情報を位置情報と共に前記魚群関連情報として前記端末側情報格納手段に格納することができる。
また、前記魚群情報端末装置は、前記送信用魚群情報生成手段と前記端末側通信手段とを有するので、前記端末側情報格納手段の前記魚群関連情報は、前記送信用魚群情報生成手段で生成された送信用魚群情報として例えばパケット毎に前記端末側通信手段で魚群情報管理装置へ送信される。
そして、前記魚群端末装置は、魚群情報管理装置が有する他の魚群関連情報の閲覧を要求する魚群閲覧情報を生成する魚群閲覧情報生成手段を有する。
【００１６】
このため、例えば、一の魚群関連情報を発信した一の魚群情報端末装置と異なる他の魚群情報端末装置は、魚群閲覧情報を発することで、前記一の魚群関連情報を魚群情報管理装置から取得することできる。
すなわち、前記他の魚群情報端末装置が前記魚群閲覧情報を前記魚群情報管理装置へ発信すると、この魚群閲覧情報に対応する魚群関連情報（例えば前記一の魚群関連情報）を取得することができる。
そして、この取得された前記一の魚群関連情報は、その表示装置に表示される。
以上のように、各前記魚群情報端末装置が取得した前記魚群関連情報は前記魚群情報管理装置に格納され、その後、各前記魚群情報端末装置の前記魚群閲覧情報に対応して、閲覧することができる構成となっている。
【００１７】
このため、魚群関連情報を複数の魚群情報端末装置が共有することができるので、各魚群情報端末装置の操作者等は、これら共有の魚群関連情報を分析することで、特定時刻の魚群の位置等を精度良く予測することができる。
すなわち、多くの魚群情報端末装置が取得した魚群情報を各魚群情報端末装置が共有することで、詳細な魚群情報が取得でき、且つ特定時刻の魚群の位置等を容易に推測することができる
【００１８】
前記目的は、本発明によれば、魚群情報端末装置の魚群探知手段が魚群情報を探知する魚群探知工程と、前記魚群情報端末装置の位置情報取得手段が位置情報を取得する位置情報取得工程と、前記魚群情報端末装置の端末側情報格納手段が、少なくとも、前記魚群情報及び前記位置情報等を有する魚群関連情報を格納するための端末側情報格納工程と、前記魚群情報端末装置の送信用魚群情報生成手段が、前記端末側情報格納手段内の前記魚群関連情報から送信用魚群情報を生成する送信用魚群情報生成工程と、前記魚群情報端末装置の端末側通信手段が、前記送信用魚群情報を送信する送信用魚群情報送信工程と、魚群情報管理装置の管理側通信手段が、前記送信用魚群情報を受信する送信用魚群情報受信工程と、前記魚群情報管理装置の管理側情報格納手段が、前記送信用魚群情報を前記魚群関連情報として格納する管理側情報格納工程と、前記魚群情報端末装置の魚群閲覧情報生成手段が、他の魚群関連情報の閲覧を要求する魚群閲覧情報を生成する魚群閲覧情報生成工程と、前記魚群情報端末装置の端末側通信手段が、前記魚群閲覧情報を送信する魚群閲覧情報送信工程と、前記魚群情報管理装置の管理側通信手段が、前記魚群閲覧情報を受信する魚群閲覧情報受信工程と、前記魚群情報管理装置の閲覧情報生成手段が、前記魚群閲覧情報に対応して前記管理側情報格納手段内の魚群関連情報から閲覧情報を生成する閲覧情報生成工程と、前記魚群情報管理装置の管理側通信手段が、前記閲覧情報を送信する閲覧情報送信工程と、前記魚群情報端末装置の端末側通信手段が、前記閲覧情報を受信する閲覧情報受信工程と、前記魚群情報端末装置の表示装置が、前記閲覧情報を表示する閲覧情報表示工程と、を有することを特徴とする魚群情報共有方法により達成される。
【００１９】
前記発明によれば、前記魚群探知工程と、前記位置情報取得工程と、前記端末側情報格納工程と、を有するので、前記魚群情報端末装置が魚群を発見したときは、その詳細な魚群情報を位置情報と共に、前記魚群関連情報として前記端末側情報格納手段に格納することができる。
また、前記送信用魚群情報生成工程と、前記送信用魚群情報生成工程と、前記送信用魚群情報受信工程と、前記管理側情報格納工程と、を有するので、前記端末側情報格納手段の前記魚群関連情報は、前記送信用魚群情報である例えばパケット毎に前記魚群情報管理装置に送信され、その後、前記管理側情報格納手段内に格納される。
【００２０】
また、前記魚群閲覧情報生成工程と、前記魚群閲覧情報送信工程と、前記魚群閲覧情報受信工程と、前記閲覧情報生成工程と、前記閲覧情報送信工程と、前記閲覧情報受信工程と、前記閲覧情報表示工程と、を有する。
このため、例えば、一の魚群関連情報を発信した一の魚群情報端末装置と異なる他の魚群情報端末装置は、この一の魚群関連情報を前記魚群閲覧情報を発することで取得できる。
そして、取得された前記魚群閲覧情報は、前記表示装置に表示される。
したがって、前記魚群関連情報を複数の魚群情報端末装置が共有することができるので、各魚群情報端末装置の操作者等は、これら共有の前記魚群関連情報を分析することで、特定時刻の魚群の位置等を精度良く予測することができる。
【００２１】
前記目的は、本発明によれば、魚群探知手段が魚群情報を探知する魚群探知工程と、位置情報取得手段が、位置情報を取得する位置情報取得工程と、端末側情報格納手段が、少なくとも、前記魚群情報及び前記位置情報等を有する魚群関連情報を格納するための端末側情報格納工程と、送信用魚群情報生成手段が、前記端末側情報格納手段内の前記魚群関連情報から送信用魚群情報を生成する送信用魚群情報生成工程と、魚群閲覧情報生成手段が、魚群情報管理装置が有する他の魚群関連情報の閲覧を要求する魚群閲覧情報を生成する魚群閲覧情報生成工程と、端末側通信手段が、魚群情報管理装置との情報の送受信を行う端末側通信工程と、表示装置が、情報の表示を行う表示工程と、を有することを特徴とする魚群情報端末装置の制御方法により達成される。
【００２２】
前記発明によれば、前記魚群探知工程と、前記位置情報取得工程と、前記端末側情報格納工程と、を有するので、魚群情報端末装置が魚群を発見したときは、その詳細な魚群情報を位置情報と共に前記魚群関連情報として前記端末側情報格納手段に格納することができる。
また、前記送信用魚群情報生成工程と、前記端末側通信工程と、を有するので、前記端末側情報格納手段の前記魚群関連情報は、前記送信用魚群情報生成手段で生成された送信用魚群情報として例えばパケット毎に前記端末側通信手段で魚群情報管理装置へ送信される。
【００２３】
また、前記魚群閲覧情報生成工程とを有するので、例えば、一の魚群関連情報を発信した一の魚群情報端末装置と異なる他の魚群情報端末装置は、魚群閲覧情報を発することで、前記一の魚群関連情報を魚群情報管理装置から取得することできる。
すなわち、前記他の魚群情報端末装置が前記魚群閲覧情報を前記魚群情報管理装置へ発信すると、この魚群閲覧情報に対応する魚群関連情報（例えば前記一の魚群関連情報）を取得することができる。
また、前記表示工程を有するので、この取得された前記一の魚群関連情報は、その表示装置に表示される。
【００２４】
以上のように、各前記魚群情報端末装置が取得した前記魚群関連情報は前記魚群情報管理装置に格納され、その後、各前記魚群情報端末装置の前記魚群閲覧情報に対応して、閲覧することができる構成となっている。
このため、魚群関連情報を複数の魚群情報端末装置が共有することができるので、各魚群情報端末装置の操作者等は、これら共有の魚群関連情報を分析することで、特定時刻の魚群の位置等を精度良く予測することができる。
【００２５】
前記目的は、本発明によれば、コンピュータに、魚群情報端末装置の魚群探知手段が魚群情報を探知する魚群探知工程と、前記魚群情報端末装置の位置情報取得手段が位置情報を取得する位置情報取得工程と、前記魚群情報端末装置の端末側情報格納手段が、少なくとも、前記魚群情報及び前記位置情報等を有する魚群関連情報を格納するための端末側情報格納工程と、前記魚群情報端末装置の送信用魚群情報生成手段が、前記端末側情報格納手段内の前記魚群関連情報から送信用魚群情報を生成する送信用魚群情報生成工程と、前記魚群情報端末装置の端末側通信手段が、前記送信用魚群情報を送信する送信用魚群情報送信工程と、魚群情報管理装置の管理側通信手段が、前記送信用魚群情報を受信する送信用魚群情報受信工程と、前記魚群情報管理装置の管理側情報格納手段が、前記送信用魚群情報を前記魚群関連情報として格納する管理側情報格納工程と、前記魚群情報端末装置の魚群閲覧情報生成手段が、他の魚群関連情報の閲覧を要求する魚群閲覧情報を生成する魚群閲覧情報生成工程と、前記魚群情報端末装置の端末側通信手段が、前記魚群閲覧情報を送信する魚群閲覧情報送信工程と、前記魚群情報管理装置の管理側通信手段が、前記魚群閲覧情報を受信する魚群閲覧情報受信工程と、前記魚群情報管理装置の閲覧情報生成手段が、前記魚群閲覧情報に対応して前記管理側情報格納手段内の魚群関連情報から閲覧情報を生成する閲覧情報生成工程と、前記魚群情報管理装置の管理側通信手段が、前記閲覧情報を送信する閲覧情報送信工程と、前記魚群情報端末装置の端末側通信手段が、前記閲覧情報を受信する閲覧情報受信工程と、前記魚群情報端末装置の表示装置が、前記閲覧情報を表示する閲覧情報表示工程と、を実行させるための魚群情報共有プログラムにより達成される。
前記発明によれば、前記魚群情報共有方法と同様の作用、効果等を奏する。
【００２６】
前記目的は、本発明によれば、コンピュータに、魚群探知手段が魚群情報を探知する魚群探知工程と、位置情報取得手段が、位置情報を取得する位置情報取得工程と、端末側情報格納手段が、少なくとも、前記魚群情報及び前記位置情報等を有する魚群関連情報を格納するための端末側情報格納工程と、送信用魚群情報生成手段が、前記端末側情報格納手段内の前記魚群関連情報から送信用魚群情報を生成する送信用魚群情報生成工程と、魚群閲覧情報生成手段が、魚群情報管理装置が有する他の魚群関連情報の閲覧を要求する魚群閲覧情報を生成する魚群閲覧情報生成工程と、端末側通信手段が、魚群情報管理装置との情報の送受信を行う端末側通信工程と、表示装置が、情報の表示を行う表示工程と、を実行させるための魚群情報端末装置の制御プログラムにより達成される。
前記発明によれば、前記魚群情報端末装置の制御方法と同様の作用、効果等を奏する。
【００２７】
前記目的は、本発明によれば、コンピュータに、魚群情報端末装置の魚群探知手段が魚群情報を探知する魚群探知工程と、前記魚群情報端末装置の位置情報取得手段が位置情報を取得する位置情報取得工程と、前記魚群情報端末装置の端末側情報格納手段が、少なくとも、前記魚群情報及び前記位置情報等を有する魚群関連情報を格納するための端末側情報格納工程と、前記魚群情報端末装置の送信用魚群情報生成手段が、前記端末側情報格納手段内の前記魚群関連情報から送信用魚群情報を生成する送信用魚群情報生成工程と、前記魚群情報端末装置の端末側通信手段が、前記送信用魚群情報を送信する送信用魚群情報送信工程と、魚群情報管理装置の管理側通信手段が、前記送信用魚群情報を受信する送信用魚群情報受信工程と、前記魚群情報管理装置の管理側情報格納手段が、前記送信用魚群情報を前記魚群関連情報として格納する管理側情報格納工程と、前記魚群情報端末装置の魚群閲覧情報生成手段が、他の魚群関連情報の閲覧を要求する魚群閲覧情報を生成する魚群閲覧情報生成工程と、前記魚群情報端末装置の端末側通信手段が、前記魚群閲覧情報を送信する魚群閲覧情報送信工程と、前記魚群情報管理装置の管理側通信手段が、前記魚群閲覧情報を受信する魚群閲覧情報受信工程と、前記魚群情報管理装置の閲覧情報生成手段が、前記魚群閲覧情報に対応して前記管理側情報格納手段内の魚群関連情報から閲覧情報を生成する閲覧情報生成工程と、前記魚群情報管理装置の管理側通信手段が、前記閲覧情報を送信する閲覧情報送信工程と、前記魚群情報端末装置の端末側通信手段が、前記閲覧情報を受信する閲覧情報受信工程と、前記魚群情報端末装置の表示装置が、前記閲覧情報を表示する閲覧情報表示工程と、を実行させるための魚群情報共有プログラムを記録したコンピュータ読み取り可能な記録媒体により達成される。
前記発明によれば、前記魚群情報共有方法と同様の作用、効果等を奏する。
【００２８】
前記目的は、本発明によれば、コンピュータに、魚群探知手段が魚群情報を探知する魚群探知工程と、位置情報取得手段が、位置情報を取得する位置情報取得工程と、端末側情報格納手段が、少なくとも、前記魚群情報及び前記位置情報等を有する魚群関連情報を格納するための端末側情報格納工程と、送信用魚群情報生成手段が、前記端末側情報格納手段内の前記魚群関連情報から送信用魚群情報を生成する送信用魚群情報生成工程と、魚群閲覧情報生成手段が、魚群情報管理装置が有する他の魚群関連情報の閲覧を要求する魚群閲覧情報を生成する魚群閲覧情報生成工程と、端末側通信手段が、魚群情報管理装置との情報の送受信を行う端末側通信工程と、表示装置が、情報の表示を行う表示工程と、を実行させるための魚群情報端末装置の制御プログラムを記録したコンピュータ読み取り可能な記録媒体により達成される。
前記発明によれば、前記魚群情報端末装置の制御方法と同様の作用、効果等を奏する。
【００２９】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３０】
図１は、本発明の実施の形態である魚群情報共有システム１０を示す概略図である。
図１に示すように、魚群情報共有システム１０は、漁船Ｓ１、Ｓ２に搭載されている魚群情報端末装置である例えば、端末装置１００と、魚群情報管理装置である例えば、管理センタ２００とを有している。
これら端末装置１００と管理センタ２００とは、図１に示すように船舶電話回線網１１、公衆電話回線網１２及びインターネット網１３を介して接続されている。
【００３１】
（端末装置１００等の主なハードウエア構成等について）
図２は、端末装置１００の主なハードウエア構成等を示す概略図である。
図２に示すように、端末装置１００は、例えばコンピュータ等を有しており、コンピュータは、バス１０１を有しており、このバス１０１に、ＣＰＵ（Ｃｅｎｔｒａｌ  Ｐｒｏｃｅｓｓｉｎｇ  Ｕｎｉｔ）１０２、ＲＡＭ（Ｒａｎｄｏｍ  Ａｃｃｅｓｓ  Ｍｅｍｏｒｙ）１０３、ＲＯＭ（Ｒｅａｄ  Ｏｎｌｙ  Ｍｅｍｏｒｙ）１０４等が配置されている。
また、このバス１０１には、緯度、経度及び高度等の位置情報を取得する位置情報取得手段である例えば、ＧＰＳ（Ｇｌｏｂａｌ  Ｐｏｓｉｔｉｏｎｉｎｇ  Ｓｙｓｔｅｍ）装置１０５が接続されている。
【００３２】
ＧＰＳ装置１０５は、図１のＧＰＳ衛星１４ａ乃至１４ｄからの電波を受信することで自己の位置を緯度、経度及び高度等により把握できる構成となっている。
また、このバス１０１には、魚群情報を探知する魚群探知手段である例えば、魚群探知装置１０６が接続されている。
この魚群探知装置１０６は海中に向かって探査電波を送受信する送受波機１０６ａが設けられている。
また、バス１０１には、図１の船舶電話回線網１１と接続可能な船舶通信装置１０７（情報の送受信を行う端末側通信手段の一例）が接続されている。
このため、端末装置１００の操作者は、この船舶通信装置１０７を介して図１の管理センタ２００と通信可能となっている。
さらに、バス１０１には、キーボード等の入力装置やディスプレイ等の表示装置１０９等も接続されている。
【００３３】
すなわち、このバス１０１はすべてのデバイスを接続する機能を有し、アドレスやデータパスを有する内部パスである。
ＣＰＵ１０２は所定のプログラムの処理を行う他、バス１０１に接続されたＲＯＭ１０４等を制御している。ＲＯＭ１０４は、各種プログラムや各種情報等を格納している。
ＲＡＭ１０３は、プログラム処理中のメモリの内容を対比したり、プログラムを実行するためのエリアとしての機能を有する。
【００３４】
また、端末装置１００は、船舶電話回線網１１，公衆電話回線網１２を介してインターネット網１３に接続されているので、端末装置１００のコンピュータはＨＴＭＬ言語で書かれたファイルを読み取ることができるブラウザを表示装置１０９に表示できる構成となっている。
ブラウザとしてはＨＴＭＬ閲覧ソフトである各種のブラウザソフトが適用される。
【００３５】
（管理センタ２００等の主なハードウエア構成等について）
図３は管理センタ２００の主なハードウエア構成等を示す概略図である。
図１及び図３に示すように、管理センタ２００は、管理側情報格納手段である例えば、管理センタ側データベース２０１と管理サーバ２１０とを有している。
管理サーバ２１０は端末装置１００と同様に、コンピュータ等から成り、バス１０１に、ＣＰＵ１０２、ＲＡＭ１０３、ＲＯＭ１０４、入力装置１０８及び表示装置１０９が接続されている。
また、他にハードディスク２０２や、情報の送受信を行う管理側通信手段である例えば、通信装置２０３が接続されている。
【００３６】
この通信装置２０３は図１に示すようにインターネット網１３に接続するための装置である。
また、後述するように管理サーバ２１０はＷｅｂ管理部としても機能するため、ＷＥＢサーバとしての役割を果たすことができる構成と成っている。
このコンピュータは搭載している基本制御プログラム（ＯＳ（オペレーションシステム）やＢＩＯＳ（基本出力制御システム））がＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）やＪａｖａ（登録商標）言語等により動作するよう構成されている。
【００３７】
また、管理サーバ２１０は、図２の通信装置２０３を介して、図１の気象情報サーバ２０４と接続可能な構成となっており、気象情報や潮汐情報等を取得可能な構成となっている。
また、管理サーバ２１０は図１に示すようにインターネット網１３にも接続されている。
【００３８】
（端末装置１００等の主なソフトウエア構成等について）
図４は、端末装置１００の主なソフトウエア構成等を示す概略図である。
図４に示すように、端末装置１００は、魚群情報を制御する魚群情報制御部１１１を有している。また、この魚群情報制御部１１１には、図２の魚群探知装置１０６に対応する魚群情報探知部１１０が接続され、魚群情報探知部１１０には、図２の送受波機１０６ａに対応する送受波部１１０ａが接続されている。
【００３９】
魚群情報制御部１１１には、魚群情報探知部１１０が探知した魚群情報を解析する魚群情報解析部１１２が接続されている。
具体的には、魚群情報解析部１１２は、魚群の深度、魚群の漁量、魚の体長、魚群の推定魚種等を解析する。
また、魚群情報制御部１１１には、図２のＧＰＳ装置１０５に対応するＧＰＳ装置制御部１１３及び緯度、経度及び高度等の位置情報を取得する位置情報取得部１１３ａが接続されている。
また、魚群情報制御部１１１には、図２の船舶通信装置１０７に対応する船舶通信制御部１１４及び船舶電話部１１４ａが接続されている。
【００４０】
この船舶電話部１１４ａは、図１に示すように船舶電話回線網１１や公衆電話回線網１２を介して、インターネット網１３に接続可能な構成と成り、気象情報サーバ２０４にも接続可能な構成となっている。
この気象情報サーバ２０４には気象情報及び潮汐情報等が格納されているので、端末装置１００は、船舶電話部１１４ａを介して潮汐情報を入手できる構成となっている。また、船舶電話１１４ａを介して時刻情報等も入手できる構成となっている。
したがって、図４の魚群情報解析部１１２は、上述の魚群の深度等の魚群情報、位置情報、時刻情報及び潮汐情報を魚群関連情報として端末側情報格納手段である例えば、端末側データベース１１５に格納する構成となっている。
図５は端末側データベース１１５内に格納された魚群関連情報ファイルの一例を示す概略図である。
図５に示すように、魚群関連情報ファイルには時刻、魚群情報、位置情報及び潮汐情報が一つファイルとして格納されている。
【００４１】
また、端末側データベース１１５内の図５に示す魚群関連情報ファイルの情報から送信用魚群情報（パケット単位の送信用情報）を生成する送信用魚群情報生成手段である例えば、送信用魚群情報生成部１１６が設けられている。
この送信用魚群情報生成部１１６により、船舶電話部１１４ａより発信される情報は図５の魚群関連情報ファイル単位となるように構成されている。
【００４２】
また、端末装置１００は、他の魚群関連情報、例えば、自己の魚群関連情報が図１の漁船Ｓ１である場合の他の魚群関連情報である漁船Ｓ２の魚群関連情報等の閲覧を要求する魚群閲覧情報を生成する魚群閲覧情報生成手段である例えば、魚群閲覧情報生成部１１７を有している。
このため、図１の管理センタ２００の管理センタ側データベース２０１内に格納されている自己ではなく他の端末装置１００が取得した魚群関連情報を閲覧するための魚群閲覧情報を生成し、船舶電話部１１４ａ等を介して管理センタ２００に発信することができる構成となっている。
【００４３】
また、端末装置１００は、図２の表示装置１０９に対応する表示装置制御部１１８や入力装置１０８に対応する入力装置制御部１１９を有するので、各種情報を表示装置１０９に表示したり、各種情報を入力等することができる構成となっている。
【００４４】
（管理センタ２００等の主なソフトウエア構成等について）
図６は、管理センタ２００の主なソフトウエア構成等を示す概略図である。
図６に示すように、管理サーバ２１０には、インターネット網１３及び気象情報サーバ２０４と接続し、情報の送受信を行う管理側通信手段である例えば、送受信部２１１が設けられている。
また、管理サーバ２１０はインターネット網１３でＷｅｂサーバとしての機能を発揮するためＷｅｂ管理部２１２を有している。そして、管理サーバ２１０が気象情報サーバ２０４から気象情報及び潮汐情報等（気象等情報の一例）を取得するための気象等情報取得手段である例えば、気象情報取得部２１３も有している。
【００４５】
また、管理サーバ２１０は、端末装置１００のＩＤ番号（識別番号）を照合するＩＤ番号照合部２１４を有している。このＩＤ番号照合部２１４には、各端末装置１００のＩＤ番号を格納するＩＤ番号ファイル２１４ａが接続されている。したがって、ＩＤ番号照合部２１４は、ＩＤ番号ファイル２１４ａ内の情報に基づいてＩＤ番号の照合を行うことができる構成となっている。
【００４６】
また、管理サーバ２１０は端末装置１００から送信された送信用魚群情報（パケット単位の送信用情報）を図５に示す魚群関連情報ファイルとして管理センタ側データベース２０１に格納するデータベース入力部２１５を有している。
図７は、管理センタ側データベース２０１内の魚群関連情報のテーブルの一例を示す概略図である。
図７に示すように、日時、位置情報、潮汐情報、気象情報及び魚群情報から成る第１のテーブルと各項目のテーブルとがリレーで接続されているリレーショナブルデータベースとなっている。
また、各項目のテーブルは、位置情報テーブル、潮汐情報テーブル、気象情報テーブル及び魚群情報テーブルと成っている。
【００４７】
また、上述の端末装置１００から発信される魚群閲覧情報で要求されている魚群関連情報を管理センタ側データベース２０１に入力する魚群情報閲覧要求入力部２１６を有している。
また、端末装置１００の魚群閲覧情報に対応した管理センタ側データベース２０１内の魚群関連情報を抽出して閲覧情報を作成する閲覧情報生成手段である例えば、閲覧情報抽出部２１７を有している。
【００４８】
また、管理サーバ２１０は、管理センタ側データベース２０１内の魚群関連情報に基づいて魚群情報を予測する魚群動向予測手段である例えば、魚群移動予測部２１８を有している。
具体的には、管理センタ側データベース２０１から魚群関連情報を抽出する魚群情報抽出部２１９を有し、この魚群情報抽出部２１９により抽出された魚群関連情報に基づき魚群移動予測部２１８が魚群の移動の軌跡等を予測する。
この予測軌跡等は魚群移動予測部２１８に接続された地図情報ファイル２１８ａから取得した地図情報上に描かれ、図３の表示装置１０９に表示される構成と成っている。
また、魚群移動予測部２１８は、その予測精度を向上するために以下のような処理も行う。
すなわち、魚群関連情報が図５及び図７に示すように潮汐情報や気象情報等の気象等情報を含む気象等魚群関連情報でもあるので、気象情報サーバ２０４から取得した潮汐情報や気象情報等の気象等情報と、管理センタ側データベース２０１から抽出した魚群関連情報の気象等情報を比較し、複数の魚群関連情報に重み付けを行い、より気象等情報が近い魚群関連情報に基づいて予測軌跡等を描き魚群動向を予測する構成となっている。
この魚群動向予測工程等については、後で詳述する。
【００４９】
以上のように魚群情報共有システム１０は構成されるが、以下その動作等について詳細に説明する。
具体的には、端末装置１００が魚群関連情報を取得する魚群関連情報取得ステップ、端末装置１００が管理センタ２００に取得した魚群関連情報を登録する魚群関連情報登録ステップ、端末装置１００が管理センタ２００に登録されている魚群関連情報を閲覧する魚群関連情報閲覧ステップ及び端末装置１００の要望に応じて管理センタ２００が魚群の移動を予測する魚群移動予測ステップに分けられる。
【００５０】
（魚群関連情報取得ステップについて）
例えば、図１の漁船（Ｓ１）の端末装置１００が魚群関連情報を取得する場合を例に説明する。
図８は、魚群関連情報取得ステップを示す概略フローチャートである。
ＳＴ１に示すように、図２の端末装置１００の魚群探知装置１０６及び送受波機１０６ａが魚群を探知する（魚群探知工程の一例）。
そして、魚群を探知すると、魚群情報を端末側データベース１１５に格納される（ＳＴ２）。
【００５１】
具体的には、魚群情報解析部１１２は、魚群情報を図５に示す魚群の深度情報、魚群の魚量情報、魚の体長情報、魚群の推定魚種情報に分けて分析し、端末側データベース１１５に格納する（端末側情報格納工程の一例）。
そして、図２のＧＰＳ装置１０５が図１のＧＰＳ衛星１４ａ乃至１４ｄからの電波を受信して、魚群情報を得た緯度、経度、高度等の位置情報を取得し（位置情報取得工程の一例）、端末側データベース１１５に格納する（端末側情報格納工程の一例）（ＳＴ３）。
そして、端末装置１００は図１の気象情報サーバ２０４に接続して、魚群情報を取得した時刻の気象情報及び潮汐情報を入手し、端末側データベース１１５に格納する（ＳＴ４）。
【００５２】
また、時刻情報も端末側データベース１１５に格納する。
このようにして、図５に示す魚群関連情報ファイルの各項目のデータを取得する。
次に、このように魚群関連情報ファイルの各項目のデータが揃うと、魚群情報制御部１１１が、端末装置１００の表示装置１０９に端末側データベース１１５内に登録されている前記魚群関連情報ファイルの情報を示すか否かを操作者に尋ねる（ＳＴ５）。
操作者が表示を選択する場合は、魚群関連情報ファイルの情報を表示し（ＳＴ６）、終了させる。
【００５３】
以上のように、魚群関連情報取得ステップによれば、魚群探知装置１０６が魚群を発見したときは、その詳細な魚群関連情報（魚群の深度等）を緯度、経度及び高度等の位置情報、気象情報、潮汐情報及び時刻情報等と共に、端末側データベース１１５内に格納することができ、且つ一つの魚群関連情報ファイルとして纏まって登録することができる。
【００５４】
（魚群関連情報登録ステップについて）
図９は、魚群関連情報登録ステップを示す概略フローチャートである。
図９のＳＴ７に示すように、先ず、図１の漁船（Ｓ１）の端末装置１００が管理センタ２００の管理サーバ２１０に接続する（ＳＴ７）。
具体的には、端末装置１００が、図１のインターネット網１３を介して管理サーバ２１０のＷｅｂ管理部２１２（図６参照）にアクセスする。
すると、端末装置１００の表示装置１０９にメニューが表示され、ＩＤ番号入力が求められる。
これに応じて、端末装置１００の入力装置１０８で予め登録されているＩＤ番号を入力する（ＳＴ８）。
【００５５】
このようにして入力されたＩＤ番号が図６のＩＤ番号ファイル２１４ａ内の番号と一致すれば、魚群関連情報ファイルの送信メニューが表示され、端末装置１００の端末側データベース１１５内の魚群関連情報ファイルの送信が行われる（ＳＴ１０）。
具体的には、端末側データベース１１５内に登録されている魚群関連情報ファイル（図５参照）毎にパケット通信できるよう、送信用魚群情報生成部１１６で送信用魚群情報とし（送信用魚群情報生成工程の一例）、船舶通信装置１０７（図２参照）を介して管理サーバ２１０へ送信する（送信用魚群情報送信工程の一例）。
【００５６】
次に管理サーバ２１０の送受信部２１１がパケット通信された前記送信用魚群情報を受け取り（送信用魚群情報受信工程の一例）、データベース入力部２１５は、管理センタ側データベース２０１に登録する前に、送信された魚群関連情報が、図５に示す各項目の情報がすべて含まれているかチェックする。
項目漏れがある場合は、漏れた項目のデータを含んだ魚群関連情報の送信を端末装置１００に要求する（ＳＴ１１）。
項目漏れがない場合は、管理センタ側データベース２０１に登録される（ＳＴ１２）。具体的には、図７に示すようなデータベースに登録される（管理側情報格納工程の一例）。
次に、端末装置１００の表示装置１０９に登録終了が表示され（ＳＴ１３）、終了する。
【００５７】
以上のように、魚群関連情報登録ステップによれば、各端末装置１００が取得した各別の魚群関連情報を共通の項目から成る情報にして、管理センタ側データベース２０１内に登録するので、登録された情報が極めて利用し易くなっている。
また、多くの魚群関連情報を管理センタ側データベース２０１に登録することにより、登録された情報の利用価値がより向上することになる。
【００５８】
（魚群関連情報閲覧ステップについて）
魚群関連情報登録ステップに登録された多くの魚群関連情報を閲覧するのが魚群関連情報閲覧ステップである。
図１０は、魚群関連情報閲覧ステップを示す概略フローチャートである。
例えば、図１の漁船（Ｓ２）が鰹の魚群を探して、奄美大島近海を１月２４日０時頃、航海していたとする。
そして、鰹の魚群に関する魚群関連情報を取得したい場合を例に、以下説明する。
先ず、図１０のＳＴ１４に示すように、図１の漁船（Ｓ２）の端末装置１００から管理サーバ２１０にアクセスし、上述と同様にＩＤ番号を入力する（ＳＴ１５）。
【００５９】
次に、端末装置１００の入力装置１０８により魚群閲覧情報を入力する（ＳＴ１６）。
具体的には、日時として「２００３年１月２４日０時」、魚種として「鰹」、海域として「奄美大島近海の緯度及び経度」等を入力する。
すると、図４の魚群閲覧情報生成部１１７が魚群閲覧情報を生成し（魚群閲覧情報生成工程の一例）、端末装置１００の船舶電話部１１４ａを介して管理サーバ２１０へ送信する（魚群閲覧情報送信工程の一例）。
管理サーバ２１０の送受信部２１１は、魚群閲覧情報を受信し（魚群閲覧情報受信工程の一例）、管理サーバ２１０の閲覧情報抽出部２１７が管理センタ側データベース２０１内の魚群関連情報から該当する魚群関連情報を抽出する（ＳＴ１７）（閲覧情報生成工程の一例）。
【００６０】
具体的には、図７のデータベースの第１のテーブルの日時情報で同月同日同時を基準として前年以前の魚群関連情報を選択する。
さらに、魚群情報テーブルで魚種として「鰹」の魚群関連情報を選択する。
そして、位置情報テーブルで「奄美大島近海の緯度、経度」の魚群関連情報を選択する。
そして、これら３つの条件を具備する魚群関連情報のみを閲覧情報とする。
この閲覧情報は、管理サーバ２１０のＷｅｂ管理部２１２によって端末装置１００の表示装置１０９に表示される（ＳＴ１８）（閲覧情報受信工程の一例及び閲覧情報表示工程の一例）。
【００６１】
以上のようにして、漁船（Ｓ２）は鰹の魚群にデータを得ることができるので、鰹の魚群が居ると思われる海域を予測でき、魚群を容易に捕捉することができるようになる。
このように、他の漁船の端末装置１００が取得した魚群関連情報を直接、通信して交換することなく容易に取得することができる。
すなわち、各漁船の端末装置１００が取得した魚群関連情報は管理センタ２００の管理センタ側データベース２０１内に登録されることで、各魚群の端末装置１００の操作者の共有情報とすることができるので、各操作者はこれら共有の魚群関連情報を分析することで、特定時刻の魚群の位置等を精度良く予測することができる。
【００６２】
（魚群移動予測ステップについて）
図１１及び図１２は魚群移動予測ステップを示す概略フローチャートである。
上述のように魚群関連情報閲覧ステップでは、単に条件に合った魚群関連情報を抽出し表示するだけであるが、この魚群移動予測ステップでは、管理センタ２００が、指定された魚群の移動を予測し、予測情報を端末装置１００に示すようになっている。
以下では、図１の漁船（Ｓ２）が、２００３年１月２４日０時に奄美大島近海で鰹を探している場合を例に説明する。
【００６３】
図１１のＳＴ１９乃至ＳＴ２１は、上述と同様であるので、上述と同様のステップで端末装置１００が管理サーバ２１０にアクセスする。
そして、管理サーバ２１０のＷｅｂ管理部２１２は、端末装置１００の表示装置１０９にメニューを表示し、操作者が魚群移動予測を選択すると、魚群の予測条件入力画面となる。
そして、操作者は予測時期として「２００３年１月２４日０時」、海域として「奄美大島近海の緯度及び経度（北緯２８°１８’００’’、東経１２９°２２’００’’を中心とした半径１０ｋｍ以内の海域）」、魚種として「鰹」を入力する（ＳＴ２２）。
次に、管理サーバ２１０の魚群移動予測部２１８は、気象情報取得部２１３に気象情報サーバ２０４から、最近（予測当日の前後１５日間）の気象情報及び潮汐情報を取得する（ＳＴ２３）。
【００６４】
この気象情報は１時間毎の情報を取得し、潮汐情報は１ｋｍ四方等の一定区画毎の１時間毎の情報を取得する。
図１３は、このとき得られた潮汐情報及び気象情報の一例を示したものである。
【００６５】
次に、管理サーバ２１０の魚群情報抽出部２１０は管理センタ側データベース２０１内の魚群関連情報から前年以前の同時期の鰹の魚群関連情報を取得する（ＳＴ２４）。
具体的には、同時期という場合、潮汐の影響を考慮する必要があるため月齢を合わせる計算を行う。すなわち、２００３年１月２４日は月齢では２２であり、前年（２００２年）の１月２４日が月齢で１１であることから、前年の２月５日を基準として前後１５日間となる。
そして、この同時期で、魚種が鰹で、緯度及び経度が奄美大島近海の魚群関連情報を取得する。これにより、前年の魚群関連情報の抽出が終了する。
次に、２年前（２００１年）の同時期を計算する。具体的には、２年前は１月２４日が月齢が０であるので、２年前の１月１７日を基準として前後１５日を同時期として、魚種が鰹で、緯度及び経度が奄美大島近海の魚群関連情報を取得する。
このように同時期を定めると、太陽暦の１年単位で比較するので同様の季節少で比較でき、月齢を合わせ、基準日の前後１５日間とすると、潮汐が同様となり予測情報としての確実性が向上する。
【００６６】
図１４（ａ）（ｂ）は、このようにして同時期の魚群関連情報として抽出された魚群関連情報の例を示したものであり、（ａ）は、２００２年（前年の同時期）の情報であり、（ｂ）は２００１年（２年前の同時期）の情報である。
次に図１４の（ａ）と（ｂ）の魚群関連情報とＳＴ２３で取得した図１３の気象情報及び潮汐情報とを比較する。
すると、図１４（ａ）の魚群関連情報は、（ｂ）の魚群関連情報より図１３の潮汐情報により近いことが分かる。
そこで、この（ａ）の魚群関連情報を（ｂ）の魚群関連情報より重み付けを行い、魚群の予想軌跡を作成する際に、（ａ）の魚群関連情報に近く軌跡を描くようにする。
【００６７】
このような魚群関連情報に基づき管理サーバ２１０の魚群移動予測部２１８が地図上に予測軌跡を描いたのが図１５である（ＳＴ２５）。
図１５は、前年以前の同時期の魚群関連情報に基づいた魚群の予測軌跡例を示す図である。
次に、予測時期である「２００３年１月２４日０時」の直近時期（２００３年１月９日乃至１月２４日）で、魚種（鰹）、奄美大島近海の条件を具備する魚群関連情報を管理センタ側データベース２０１内から抽出する。
そして、直近時期の魚群関連情報に基づいて魚群の予測軌跡を描く（ＳＴ２６）。図１６は、直近時期の魚群関連情報に基づいて魚群の予測軌跡例を示す図である。
【００６８】
次に、図１５で示す前年以前の予測軌跡と図１６で示す直近時期の予測軌跡を時刻軸に沿って合成することで最終的な予測軌跡を形成することができる（ＳＴ２７）。
具体的には、図１７に示すような最終的な予測軌跡を描くことができる。図１７は最終的な予測軌跡例を示す図である。
次に、この最終予測軌跡を端末装置１００側に表示して、終了する（ＳＴ２８）。
以上のように、魚群移動予測ステップによれば、特定時刻の鰹等の特定魚群の位置等を予測する予測軌跡を端末装置１００側へ提供できるので、端末装置１００の操作者等はより確実に鰹等の魚群を捕捉することができる。
また、前記予測軌跡は魚群関連情報によって重み付けを行っているので、より精度の高い魚群動向予測情報となっている。
【００６９】
なお、図１６に示す直近時期の魚群関連情報が十分に得られないときは、図１８に示すようにして予測軌跡を描く。
図１８は、直近時期の予測軌跡の形成方法を示す説明図である。
図１８では、直前の魚群関連情報がＸであり、その前の魚群関連情報がＹである。
この場合、先ずＸとＹの魚群関連情報の潮汐情報の流速、潮の向きからベクトルを得て、２つのベクトルを合成する。
合成されたベクトルと、Ｘ、Ｙの時間差を乗算し、それにＹの位置を加えて得られる位置が、流速にそのまま流された場合の位置Ｘ’である。
Ｘ’の位置と実際のＸの位置との差が、魚群の実際の方向となる。
【００７０】
このため、図１８の例における、魚群のこの時間の運動の方向は東向き（右方向）であり、その速度は１ｋｎｏｔとなる。
したがって、さらに求める次の点はＸの位置から東に２ｋｎｏｔの方向に進むと推測でき、これを繰り返すことで、直近時期の予測軌跡を形成することができる。
以上のように、魚群関連情報に不足がある場合でも、精度の高い予測軌跡を形成し、端末装置１００側に提供することが可能となる。
【００７１】
（プログラム及びコンピュータ読み取り可能な記録媒体等について）
コンピュータに上述の動作例の魚群探知工程、位置情報取得工程、端末側情報格納工程、送信用魚群情報生成工程、送信用魚群情報送信工程、送信用魚群情報受信工程、管理側情報格納工程、魚群閲覧情報生成工程、魚群閲覧情報送信工程、魚群閲覧情報受信工程、閲覧情報生成工程、閲覧情報送信工程、閲覧情報受信工程、閲覧情報表示工程等を実行させるための魚群情報共有プログラム等とすることができる。
また、このような魚群情報共有プログラム等を記録したコンピュータ読み取り可能な記録媒体等とすることもできる。
【００７２】
これら魚群情報共有プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（ＣｏｍｐａｃｔＤｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００７３】
本発明は、上述の各実施の形態に限定されない。さらに、上述の各実施の形態は、相互に組み合わせて構成するようにしてもよい。
【図面の簡単な説明】
【図１】本発明の実施の形態である魚群情報共有システムを示す概略図である。
【図２】端末装置の主なハードウエア構成等を示す概略図である。
【図３】管理センタの主なハードウエア構成等を示す概略図である。
【図４】端末装置の主なソフトウエア構成等を示す概略図である。
【図５】端末側データベース内に格納された魚群関連情報ファイルの一例を示す概略図である。
【図６】管理センタの主なソフトウエア構成等を示す概略図である。
【図７】管理センタ側データベース内の魚群関連情報のテーブルの一例を示す概略図である。
【図８】魚群関連情報取得ステップを示す概略フローチャートである。
【図９】魚群関連情報登録ステップを示す概略フローチャートである。
【図１０】魚群関連情報閲覧ステップを示す概略フローチャートである。
【図１１】魚群移動予測ステップを示す概略フローチャートである。
【図１２】魚群移動予測ステップを示す他の概略フローチャートである。
【図１３】潮汐情報及び気象情報の一例を示したものである。
【図１４】（ａ）（ｂ）は、同時期の魚群関連情報として抽出された魚群関連情報の例を示したものである。
【図１５】前年以前の同時期の魚群関連情報に基づいた魚群の予測軌跡例を示す図である。
【図１６】直近時期の魚群関連情報に基づいて魚群の予測軌跡例を示す図である。
【図１７】最終的な予測軌跡例を示す図である。
【図１８】直近時期の予測軌跡の形成方法を示す説明図である。
【符号の説明】
１０・・・魚群情報共有システム、１１・・・船舶電話回線網、１２・・・公衆電話回線網、１３・・・インターネット網、１４ａ乃至１４ｄ・・・ＧＰＳ衛星、１００・・・端末装置、１０１・・・バス、１０２・・・ＣＰＵ、１０３・・・ＲＡＭ、１０４・・・ＲＯＭ、１０５・・・ＧＰＳ装置、１０６・・・魚群探知装置、１０６ａ・・・送受波機、１０７・・・船舶通信装置、１０８・・・入力装置、１０９・・・表示装置、１１０・・・魚群情報探知部、１１０ａ・・・送受波部分、１１１・・・魚群情報制御部、１１２・・・魚群情報解析部、１１３・・・ＧＰＳ装置制御部、１１３ａ・・・位置情報取得部、１１４・・・船舶通信制御部、１１４ａ・・・船舶電話部、１１５・・・端末側データベース、１１６・・・送信用魚群情報生成部、１１７・・・魚群閲覧情報生成部、１１８・・・表示装置制御部、１１９・・・入力装置制御部、２００・・・管理センタ、２０１・・・管理センタ側データベース、２０２・・・ハードディスク、２０３・・・通信装置、２０４・・・気象情報サーバ、２１０・・・管理サーバ、２１１・・・送受信部、２１２・・・Ｗｅｂ管理部、２１３・・・気象情報取得部、２１４・・・ＩＤ番号照合部、２１５・・・データベース入力部、２１６・・・魚群情報閲覧要求入力部、２１７・・・閲覧情報抽出部、２１８・・・魚群移動予測部、２１８ａ・・・地図情報ファイル、２１９・・・魚群情報抽出部。
【図１】
2004271338.tif 000003
【図２】
2004271338.tif 000004
【図３】
2004271338.tif 000005
【図４】
2004271338.tif 000006
【図５】
2004271338.tif 000007
【図６】
2004271338.tif 000008
【図７】
2004271338.tif 000009
【図８】
2004271338.tif 000010
【図９】
2004271338.tif 000011
【図１０】
2004271338.tif 000012
【図１１】
2004271338.tif 000013
【図１２】
2004271338.tif 000014
【図１３】
2004271338.tif 000015
【図１４】
2004271338.tif 000016
【図１５】
2004271338.tif 000017
【図１６】
2004271338.tif 000018
【図１７】
2004271338.tif 000019
【図１８】
2004271338.tif 000020